(57)【要約】【課題】内側ガラリを外側ガラリに溶接することなく設置でき、外側ガラリの表面に溶接跡がなくて塗装を不要とする防水性に優れた電気機器キャビネット用ルーバーを提供する。【解決手段】キャビネットの換気孔に前面から嵌合して取り付けるフィルタケース１の前面開口周縁に連設した取付用フランジ部１２の枠部１３に内側ガラリ２を取り付けたうえ、前記内側ガラリ２の前面を覆う外側ガラリ３を該外側ガラリ３の周縁後方に連設した周枠部３３を前記取付用フランジ部１２の周縁を囲装させたうえ該周枠部３３の両側板部３４の先端に内向きに設けた係止爪３４ａを取付用フランジ部１２の側枠部１３に設けた係止溝部１５ａに係止させて取り付ける。【選択図】  図１
2008141910.tif 000002
【特許請求の範囲】
【請求項１】
キャビネットの換気孔に前面から嵌合して取り付けるフィルタケースの前面開口周縁に連設した取付用フランジ部の枠部に内側ガラリを取り付けたうえ、前記内側ガラリの前面を覆う外側ガラリを該外側ガラリの周縁後方に連設した周枠部を前記取付用フランジ部の周縁を囲装したうえ該周枠部の両側板部の先端に内向きに設けた係止爪を取付用フランジ部の側枠部に設けた係止溝部に係止させて取り付けたことを特徴とする電気機器キャビネット用ルーバー。
【請求項２】
内側ガラリを、フィルタケースの側枠部に設けた低段部に該内側ガラリの両側縁部に張設した係止片部を嵌合させて取り付けたことを特徴とする請求項１に記載の電気機器キャビネット用ルーバー。
【発明の詳細な説明】
【技術分野】
【０００１】
本発明は、屋外に設置した配電盤、制御盤等の電気機器キャビネット内に換気口から雨水が浸入するのを防止して換気を行う電気機器キャビネット用ルーバーに関するものである。
【背景技術】
【０００２】
従来の防水構造を採用した電気機器キャビネット用ルーバーとしては、特開２０００−２９５７２１公報（特許文献１）に示すように、外側のガラリの背面に逆向きの内側ガラリを設けて、これらガラリにより雨水を下方に流下させてルーバー下部に設けた水抜き孔から外部に排出して、また、流下せずフィルタに到達する雨水はフィルタで捕捉したうえフィルタ内を流下させたうえ下部のシンクを経て前記水抜き孔から排出させてキャビネット内に雨水が浸入するのを防止するものであった。
【０００３】
ところが、この従来のものは内側ガラリを外側のガラリの背面に溶接して製作するのを普通とするため、ルーバーの表面に溶接跡が残る。このため外観品質を良くするため塗装を施しており、ステンレスのように地肌が綺麗で耐食性のある材質であっても塗装を行う必要があり、製作コストがその分高くなるという問題があった。
【０００４】
【特許文献１】特開２０００−２９５７２１公報（図１参照）
【発明の開示】
【発明が解決しようとする課題】
【０００５】
本発明は前記のような問題点を解決して、内側ガラリを外側ガラリに溶接することなく設置でき、また、外側ガラリに取付用のボルト・ナットを溶接することなくフィルタ収納ケースに取り付けができ、外側ガラリの表面に溶接跡がなくて塗装を不要とする防水性に優れた電気機器キャビネット用ルーバーを提供することを目的として完成されたものである。
【課題を解決するための手段】
【０００６】
本発明の電気機器キャビネット用ルーバーは、キャビネットの換気孔に前面から嵌合して取り付けるフィルタケースの前面開口周縁に連設した取付用フランジ部の枠部に内側ガラリを取り付けたうえ、前記内側ガラリの前面を覆う外側ガラリを該外側ガラリの周縁後方に連設した周枠部を前記取付用フランジ部の周縁を囲装したうえ該周枠部の両側板部の先端に内向きに設けた係止爪を取付用フランジ部の側枠部に設けた係止溝部に係止させて取り付けたことを特徴とするものを基本の発明とする。また、内側ガラリを、フィルタケースの側枠部に設けた低段部に該内側ガラリの両側縁部に張設した係止片部を嵌合させて取り付けてもよい。
【発明の効果】
【０００７】
前記のような本発明は、外側ガラリは取付用のボルト・ナットを溶接することなくフィルタケースに取り付けができるので、外側ガラリの表面に溶接跡がないので地肌が綺麗で耐食性のある材質のものにあっては塗装を不要として安価に提供できるものである。そして、本発明に係るものはフィルタケースと外側ガラリの間に内側ガラリが位置しているので、外側ガラリを通過した雨水は先ずこの内側ガラリにより下方に流下されて外側ガラリの周枠部の下板部に設けた排出口から外部に排出して、流下せずフィルタケースに到達する雨水は該フィルタケースに収納したフィルタで捕捉したうえフィルタ内を流下させたうえフィルタケースの下面を経て前記排出口から排出させてキャビネット内に雨水が浸入す
るのを防止するものである。
【０００８】
また、本発明に係るものは、内側ガラリを該内側ガラリの両側縁部に張設した係止片部をフィルタケースの側枠部に設けた低段部に嵌合したうえ、外側ガラリにより覆って取り付けたものであるから、内側ガラリと外側ガラリの取付作業が容易なものである。
【発明を実施するための最良の形態】
【０００９】
次に、本発明の好ましい実施の形態を図を参照して説明する。
１はキャビネット１００の換気孔１０１に前面から嵌合して取り付けるフィルタケースであり、このフィルタケース１は短枠筒体状のケース本体１１の前縁に取付フランジ部１２を張設して該取付フランジ部１２の縁前方に枠部１３を張設している。そして、両側の側枠部１３ａ、１３ａには後記する内側ガラリ２の両端に張設した係止片部２３、２３を嵌合する低段部１４を設けるとともに内側ガラリ２に設けた切欠部２１ａと上下位置が合致する切欠部１５を設けて、さらに、該切欠部１５の基端下方に後記する外側ガラリ３に設けた係止爪３４ａを係止する係止溝部１５ａを設けてある。
【００１０】
２は内側ガラリであり、該内側ガラリ２は板状のガラリ本体２１に後向きの傾斜板よりなるガラリ板２２を多数配設して各ガラリ板２２により横長の換気口２２ａを形成している。そして、この内側ガラリ２はその両側端すなわちガラリ本体２１の両側端を前記フィルタケース１の側枠部１３ａ、１３ａに当接したうえ両側端に張設した係止片部２３、２３を前記フィルタケース１の側枠部１３ａ、１３ａに設けた低段部１４、１４に嵌合させて上下左右の位置がずれないようにしたうえ内側ガラリ２の両側端すなわちガラリ本体２１の両側端に設けた切欠部２１ａ、２１ａを前記側枠部１３ａ、１３ａに設けた切欠部１５、１５に合致させてフィルタケース１に取り付けられている。
【００１１】
また、該内側ガラリ２はその上下端すなわちガラリ本体２１の上下端の前方に後記する外側ガラリ３の上下端内面と当接して該内側ガラリ２と外側ガラリ３との間に間隙を形成するためのスペース片部２４、２４を折曲形成している。
【００１２】
３は前記内側ガラリ２の前面を覆う外側ガラリであり、該外側ガラリ３は板状のガラリ本体３１に先端が外向きで斜め下向きのガラリ板３２を多数配設して各ガラリ板３２により横長の換気口３２ａを形成し、また、周縁後方すなわちガラリ本体３１の周縁後方に周枠部３３が連設している。そして、該外側ガラリ３は周枠部３３を前記フィルタケース１の取付用フランジ部１２の周縁を囲装したうえ該周枠部３３の両側板部３４の先端に内向きに設けた係止爪３４ａを前記内側ガラリ２に設けた切欠部２１ａと取付フランジ部１２の側枠部１３ａに設けた切欠部１５を前方から挿通したうえ、外側ガラリ３を下方にスライドさせて係止爪３４ａを側枠部１３ａに設けた切欠部１５の基端下方に設けた係止溝部１５ａに係止させて取り付けるものである。
【００１３】
なお、外側ガラリ３の下方にねじ挿通孔３５が設けられており、止めねじ４をねじ挿通孔３５から挿通したうえ内側ガラリ２に設けたねじ孔５に螺合させて、外側ガラリ３が離脱することが無いものとしている。
【００１４】
このように構成された本発明に係る電気機器キャビネット用ルーバーは、内側ガラリ２と外側ガラリ３がフィルタケース１に取付用のボルト・ナットを使用することなく取り付けたものであるのでボルト・ナットを溶接する必要がないので外側ガラリ３の表面に溶接跡がないので地肌が綺麗で耐食性のある材質のものにあっては塗装を不要として安価に提供できるものである。
【００１５】
そして、本発明に係るものはフィルタケース１と外側ガラリ３の間に内側ガラリ２が位
置しているので、外側ガラリ３を通過した雨水は先ずこの内側ガラリ２により下方に流下されて外側ガラリ３の周枠部３３の下板部３３ａに設けた排出口３３ｂから外部に排出して、流下せずフィルタケース１に到達する雨水は該フィルタケース１に収納したフィルタ１ａにより捕捉したうえフィルタ１ａ内を流下させたうえフィルタケース１の下面を経て前記排出口３３ｂから排出させてキャビネット１００内に雨水が浸入するのを防止するものである。なお、内側ガラリ２の上下端すなわちガラリ本体２１の上下端の前方にスペース片部２４、２４を折曲形成して外側ガラリ３との間に間隙（Ｓ）を形成するものとしておけば、図２に示すように内側ガラリ２と外側ガラリ３とのガラリ板２２、３２の上下位置をずらして換気口２２ａ、３２ａの上下位置が異なったものとして雨水の浸入ができない構成としても通風性能を高めた換気が行えるものとなる。
【００１６】
また、本発明に係るものは、内側ガラリ２を該内側ガラリ２の両側端を前記フィルタケース１の側枠部１３ａ、１３ａに当接したうえ両側端に張設した係止片部２３、２３をフィルタケース１の側枠部１３ａ、１３ａに設けた低段部１４、１４に嵌合させて上下左右の位置がずれることなくしたうえ両側端に設けた切欠部２１ａ、２１ａを側枠部１３ａ、１３ａに設けた切欠部１５、１５に合致させてフィルタケース１に組み込んでいる。
【００１７】
そして、該内側ガラリ２の前面を覆う外側ガラリ３は、周枠部３３を前記フィルタケース１の取付用フランジ部１２の周縁を囲装したうえ該周枠部３３の両側板部３４の先端に内向きに設けた係止爪３４ａを前記内側ガラリ２に設けた切欠部２１ａと取付フランジ部１２の側枠部１３ａに設けた切欠部１５を前方から挿通したうえ、外側ガラリ３を下方にスライドさせて係止爪３４ａを側枠部１３に設けた切欠部１５の基端下方に設けた係止溝部１５ａに係止させて取り付けたものであるから、フィルタケース１への内側ガラリ２と外側ガラリ３の組み付け作業は容易なものであり、また、フィルタ１ａの清掃・交換作業の際に内側ガラリ２と外側ガラリ３の取り外しも容易なものである。
【図面の簡単な説明】
【００１８】
【図１】本発明の実施形態を分解して示す断面図。
【図２】本発明の実施形態を示す断面図。
【図３】本発明の実施形態の内側ガラリをフィルタケースに取付けた状態を示す斜視図。
【図４】本発明の実施形態の外側ガラリを示す背面側からの斜視図。
【図５】本発明の実施形態を示す斜視図。
【符号の説明】
【００１９】
１  フィルタケース
12  取付用フランジ部
13  枠部
13a  側枠部
14  低段部
15  切欠部
15a  係止溝部
２  内側ガラリ
21a  切込部
23  係止片部
３  外側ガラリ
33  周枠部
34  側板部
34a  係止爪
100  キャビネット
101  換気孔
【図１】
2008141910.tif 000003
【図２】
2008141910.tif 000004
【図３】
2008141910.tif 000005
【図４】
2008141910.tif 000006
【図５】
2008141910.tif 000007